(57)【特許請求の範囲】
【請求項１】
所定の板に形成された第１の折り目と、
前記板上の任意の直線に対して、前記第１の折り目と略線対称の位置に、前記板に形成された第２の折り目と、
前記板を、前記第１の折り目に沿って所定の方向に折ることで形成される第１の支持面と、
前記板を、前記第２の折り目に沿って前記所定の方向に折ることで形成される第２の支持面と、
前記第１の支持面に形成された第３の折り目と、
前記第２の支持面に形成され、前記任意の直線に対して、前記第３の折り目と略線対称の位置に形成された第４の折り目と、
前記板を、前記第３の折り目に沿って前記所定の方向とは反対の方向に折ることで形成される第１の係合部と、
前記板を、前記第４の折り目に沿って前記所定の方向とは反対の方向に折ることで形成される第２の係合部とを備え、
前記第１の係合部、及び前記第２の係合部は、互いに係合可能な形状であり、
前記第１の係合部は、前記板に形成された凹凸であり、
前記第２の係合部は、前記凹凸と噛み合う様に前記板に形成された凹凸であり、
前記板は、ボール紙を用いて形成され、
前記第１の折り目、及び前記第２の折り目は、前記ボール紙の目の方向と略垂直に形成されており、
前記凹凸は、前記ボール紙の目の方向と略平行に形成されていること、
を特徴とする自立式表示板。
【発明の詳細な説明】
【技術分野】
【０００１】
本発明は、自立式表示板に関する。
【背景技術】
【０００２】
従来、ＰＯＰ（Point of Purchase）広告等に用いられる自立式表示板としては、特許文献１に開示された広告表示板がある。
【０００３】
【特許文献１】特開２００２−１８２５６４公報
【０００４】
具体的には、特許文献１に開示された広告表示板は、２枚の立面板を繋ぎ、一方の立面板の端縁から前折片を連設し、前折片の側縁に立面板へ切れ込む起立片を連設し、他方の立面板の端縁にスリットを設け、立面板同士を重ね合わせ、前折片を前後方向へ、起立片を上下方向へ順次折曲げ、起立片を他方の立面板のスリットに差込んで形成されている。そして、この様な構成を有する広告表示板によれば、立面板はスタンドとして機能する前折片及び起立片により重なり合った状態で起立支持され、これらは一体になっているので、袋詰め等の手間がかからず、また、簡単に組み立てられ、堅固な構造となることとしている。
【発明の開示】
【発明が解決しようとする課題】
【０００５】
ところで、ＰＯＰ広告等を作成する材料としては、コストの削減、又は環境問題を考慮して、例えばボール紙や、スチレンボード等を用いることが多い。そして、上述の様な構成を有する広告表示板を、例えばボール紙で形成した場合、所定の広告情報が形成された面の側面に、ボール紙の小口が露出してしまう。そして、この様なＰＯＰ広告等は、例えば店頭ディスプレイ等に用いられることが多いことに鑑みれば、ボール紙の小口が側面に露出していることで損なわれる美観は計り知れず、強いてはユーザの購買意欲を減退させてしまうという問題があった。また、ＰＯＰ広告の材料としてスチレンボードを使用した場合も、紙の間に挟まれた発砲スチロールが露出してしまう為、同様の問題がある。
【０００６】
ここで、この様な問題に対して、小口面に、例えば紙等を貼り付けることで小口面を隠すことも考えられるが、幅が細い小口面に紙を貼り付ける作業はわずらわしさに絶えず、また、ＰＯＰ広告の生産コストが上昇してしまう為、好ましくない。
【０００７】
そこで本発明はこの様な実情に鑑みてなされたものであり、ボール紙等を用いて形成しても側面に小口が露出せず、美観を保つことが可能で、且つ、容易に生産することが可能な自立式表示板を提供することを目的とする。
【課題を解決するための手段】
【０００８】
そこで本発明に係る自立式表示板は、所定の板に形成された第１の折り目と、前記板上の任意の直線に対して、前記第１の折り目と略線対称の位置に、前記板に形成された第２の折り目と、前記板を、前記第１の折り目に沿って所定の方向に折ることで形成される第１の支持面と、前記板を、前記第２の折り目に沿って前記所定の方向に折ることで形成される第２の支持面と、前記第１の支持面に形成された第３の折り目と、前記第２の支持面に形成され、前記任意の直線に対して、前記第３の折り目と略線対称の位置に形成された第４の折り目と、前記板を、前記第３の折り目に沿って前記所定の方向とは反対の方向に折ることで形成される第１の係合部と、前記板を、前記第４の折り目に沿って前記所定の方向とは反対の方向に折ることで形成される第２の係合部とを備え、前記第１の係合部、及び前記第２の係合部は、互いに係合可能な形状であり、前記第１の係合部は、前記板に形成された凹凸であり、前記第２の係合部は、前記凹凸と噛み合う様に前記板に形成された凹凸であり、前記板は、ボール紙を用いて形成され、前記第１の折り目、及び前記第２の折り目は、前記ボール紙の目の方向と略垂直に形成されており、前記凹凸は、前記ボール紙の目の方向と略平行に形成されていることを特徴としている。
【０００９】
この構成によれば、第３の折り目、及び第４の折り目を、第１の折り目、及び第２の折り目とは反対方向に折ることで、自立式表示板を起立させることができると共に、板の側面には、第１の折り目、及び第２の折り目が形成されている為、小口が形成されず、ユーザの美観を損なうことは無い。
【００１０】
また、この構成によれば、自立式表示板は、第１の折り目、及び第２の折り目を同一の方向に折って、さらに第３の折り目、及び第４の折り目を第１の折り目、及び第２の折り目とは反対方向に折り、第１の係合部と第２の係合部を結合するという極めて単純な作業のみで組み立てることができる。
【発明の効果】
【００１１】
以上、本発明に係る自立式表示板によれば、ボール紙等を用いて形成しても側面に小口が露出せず、美観を保つことが可能で、且つ、容易に生産することが可能となる。
【発明を実施するための最良の形態】
【００１２】
以下、本発明を適用した具体的な実施の形態について図面を参照しながら詳細に説明する。
【００１３】
図１に示す様に、第１の実施の形態に係る自立式表示板１は、一枚の台紙２を所定の形状に加工することで形成されている。
【００１４】
台紙２は、例えばボール紙等を略長方形に切り抜くことで形成されている。そしてこの様な台紙２の上辺３と、下辺５とは略平行に形成される。また、台紙２の略中央部には、所定の情報を記録する表示面７が形成されている。そして表示面７は、上辺３、下辺５、及び第１の折り目９、並びに第２の折り目１１によってその領域が確保される。
【００１５】
この様な各部からなる自立式表示板１は、台紙２上に例えばプリンタ等の画像形成装置によって所定の情報が形成された図示せぬ用紙等の記録媒体を貼り付け、当該用紙が貼り付けられた台紙２を、切断装置等を用いて所定の形状に切り抜くことで形成される。そしてこの様にして切り抜かれた台紙２は、後述する方法で第１の折り目９、第２の折り目等に沿って所定の形状に組み立てられる。
【００１６】
台紙２は、コスト削減、及び環境保護の側面から、例えば再生紙からなるボール紙を用いて形成することが好ましい。そして、台紙２には少なくとも第１の折り目９及び第２の折り目１１が形成される為、ボール紙を用いて形成する場合は、ボール紙の目の方向が第１の折り目９、及び第２の折り目１１と平行にならない様に形成することが好ましい。なお、本実施の形態においては、ボール紙の目と第１の折り目９、及び第２の折り目１１とが垂直に交わる様にボール紙を用いるものとして詳細な説明を行う。そして、この様に台紙２を、ボール紙を用いて形成した場合、上辺３及び下辺５には、ボール紙の小口が露出する。しかし、本発明を適用した自立式表示板１を用いた場合、この小口の露出を防止することができる為、見た人に不快感を与えることを防止することができる。
【００１７】
表示面７は、上辺３、下辺５、及び第１の折り目９、並びに第２の折り目１１によって周囲を囲われており、略長方形の形状を備える。この表示面７は、先述した所定の情報が記録された用紙に形成された、例えば商品に関する情報をユーザに提示する面である。
【００１８】
第１の折り目９は、台紙２を、上辺３から下辺５にかけて形成される任意の直線に沿って折り曲げることで形成される。また、第２の折り目１１は、台紙２の任意の直線に対して、第１の折り目９と略線対称の位置に、台紙２に形成されている。このとき、任意の直線とは、例えば台紙２の上辺３又は下辺５と垂直に交わる直線である。そして、自立式表示板１において任意の直線は、台紙２の中心線Ｃをいい、第１の折り目９は、台紙の中心線Ｃに対して第２の折り目１１と線対称の位置に形成されている。そして、詳細は後述するが、第１の折り目９及び第２の折り目１１に沿って台紙２を折って自立式表示板１を形成することで、第１の折り目９及び第２の折り目１１が形成されている箇所が自立式表示板１を組み立てた際の側部を形成する為、台紙２の小口が露出することを防止することが可能となる。また、第１の実施の形態においては、表示面７の形状が略長方形であるものとして詳細な説明を行う為、第１の折り目９と第２の折り目とは、上辺３又は下辺５に対して垂直に形成されることとしているが、表示面７の形状を例えば台形や、三角形等として形成した場合は、その台形や三角形の斜辺の角度に合せて第１の折り目と第２の折り目を形成する。
【００１９】
また、第１の折り目９と第２の折り目１１の具体的な位置は、以下の様に決定することが好ましい。すなわち、第１の折り目９の位置は、上辺３における中心線Ｃと上辺３の左端の中間の位置とし、第２の折り目１１の位置は、上辺３における中心線Ｃと上辺３の右端の中間の位置とする。そして、この様にして決定された第１の折り目９、第２の折り目１１、及び中心線Ｃの位置関係としては、それぞれが上辺３と平行な方向に等間隔に形成されている。
【００２０】
そしてこの様にして形成された第１の折り目９によって、実質的に分割された台紙２において、第１の折り目９を介して表示面７と隣接する位置には、第１の支持面１３が形成される。また、表示面７と第２の折り目１１を介して表示面と隣接する位置には、第２の支持面１５が形成される。
【００２１】
第１の支持面１３は、第１の折り目９に対して表示面７とは反対側に形成される。そしてこの様な第１の支持面１３の幅は、先述の様に、上辺３の四半分に相当する。また、第１の支持面１３の端部には第３の折り目１７が形成されている。そして、第１の支持面１３は、上辺３、下辺５、第１の折り目９、台紙の左辺１９、及び第３の折り目１７によってその領域が形成されている。
【００２２】
左辺１９は、上辺３から左下辺２１に向けて延在する。そして左辺１９は、上辺３と下辺５との間で接する２つの直線、上左辺１９ａと下左辺１９ｂとによって構成される。上左辺１９ａは、上辺３又は下辺５と略垂直方向に延在する直線である。そして下左辺１９ｂは、上左辺１９ａに対して所定の角度をもって、表示面７とは反対方向に傾斜して左下辺２１の方向に延在する直線である。
【００２３】
また、左下辺２１は、下辺５の左端から、上辺３の方向に所定の角度をもって表示面７とは反対方向に延在する直線である。そして、この様な左下辺２１と下左辺１９ｂとは、略直角に交わる様に形成されている。
【００２４】
また、この様な下左辺１９ｂと、第３の折り目１７と、左下辺２１とによって囲まれて形成される領域は、第１の係合部２３である。
【００２５】
第１の係合部２３は、自立式表示板１を組み立てた際に、後述する第２の係合部と結合可能に形成されている。そしてこの様な第１の係合部２３と、後述する第２の係合部とが結合することにより、自立式表示板１を自立させることが可能となる。具体的には、第１の係合部２３は、下左辺１９ｂと、第３の折り目１７と、左下辺２１とによって形成される直角三角形の形状を備え、その直角部近傍の下左辺１９ｂには凹凸部２５が形成されている。この凹凸部２５は、自立式表示板１を組み立てた際に、後述する第２の係合部に設けられた凹凸部と噛み合うことが可能に形成されており、これらが噛み合うことで第１の係合部２３と後述する第２の係合部とを係合させる。
【００２６】
第２の支持面１５は、第２の折り目１１に対して表示面７とは反対側に形成される。そしてこの様な第２の支持面１５の幅は、先述の様に、上辺３の四半分に相当する。また、第２の支持面１５の端部には第４の折り目２７が形成されている。そして、第２の支持面１５は、上辺３、下辺５、第２の折り目１１、台紙の右辺２９、及び第４の折り目２７によってその領域が形成されている。
【００２７】
右辺２９は、上辺３から右下辺３１に向けて延在する。そして右辺２９は、上辺３と下辺５との間で接する２つの直線、上右辺２９ａと下右辺２９ｂとによって構成される。上右辺２９ａは、上辺３又は下辺５と略垂直方向に延在する直線である。そして下右辺２９ｂは、上右辺２９ａに対して、下左辺１９ｂと略同一の角度をもって、表示面７とは反対方向に傾斜して右下辺３１の方向に延在する直線である。
【００２８】
また、右下辺３１は、下辺５の右端から、上辺３の方向に、左下辺２１と略同一の角度をもって表示面７とは反対方向に延在する直線である。そして、この様な右下辺３１と下右辺２９ｂとは、略直角に交わる様に形成されている。
【００２９】
ここで、先述した左下辺２１、及び右下辺３１が下辺５に対して形成する角度は、表示面７の傾斜角度に相当する角度である。すなわち、左下辺２１、及び右下辺３１と下辺５とが形成する角度を調整することで、自立式表示板１を組み立てた際に、表示面７が傾斜する角度を調整することが可能となる。
【００３０】
また、この様な下右辺２９ｂと、第４の折り目２７と、右下辺３１とによって囲まれて形成される領域は、第２の係合部３３である。
【００３１】
第２の係合部３３は、自立式表示板１を組み立てた際に、第１の係合部２３と結合可能に形成されている。そしてこの様な第２の係合部３３と、第１の係合部２３とが結合することにより、自立式表示板１を自立させることが可能となる。具体的には、第２の係合部３３は、下右辺２９ｂと、第４の折り目２７と、右下辺３１とによって形成される直角三角形の形状を備え、その直角部近傍の下右辺２９ｂには凹凸部３５が形成されている。この凹凸部３５は、自立式表示板１を組み立てた際に、第１の係合部２３に設けられた凹凸部２５と噛み合うことが可能に形成されており、これらが噛み合うことで第１の係合部２３と第２の係合部３３とを係合させる。
【００３２】
以下、上述の構成を有する自立式表示板１を組み立てる方法について詳細な説明をする。この場合、表示面７の表側、すなわち所定の情報が記録されている面の裏面から自立式表示板１を参照している状態で詳細な説明を行う。
【００３３】
先ず、図２に示す様に、第１の支持面１３を、第１の折り目９に沿って表示面７の裏面の方向に折る。このとき、第１の支持面１３上に一様に接着剤等を塗り、第１の支持面１３を表示面７の裏面に固着する。
【００３４】
次に、図３に示す様に、第２の支持面１５を、第２の折り目１１に沿って表示面７の裏面の方向に折る。このとき、上左辺１９ａと上右辺２９ａとが互いに近接する位置に配置されることとなる。そして、第２の支持面１５についても第１の支持面１３と同様に、一様に接着剤等を塗り、第２の支持面１５を表示面７の裏面に固着する。
【００３５】
このとき、第１の係合部２３、及び第２の係合部３３は、表示面７の裏面とは固着されていない為、第３の折り目１７、及び第４の折り目２７を軸に、表示面７の裏面と離れたり、接触したりすることが可能な状態にある。また、この状態で、第３の折り目１７と、第４の折り目２７と、下辺５によって形成される二等辺三角形の箇所は、表示面７、第１の係合部２３、及び第２の係合部３３という順番で積層している状態となっている。
【００３６】
そして、例えばユーザが、表示面７と第１の係合部２３との間に指を挿入し、第１の係合部２３を表示面７から離す様に移動させると、第１の係合部２３は第３の折り目１７を軸に開く様に移動する。そしてこのとき凹凸部２５の凸部が第２の係合部３３を押すことで第２の係合部３３も表示面７から離れる様に移動する。そして、第１の係合部２３の開きが一定の量に達すると、図４に示す様に、凹凸部２５の凸部が、凹凸部３５の凹部と噛み合うこととなる。
【００３７】
そして、この状態で表示面７を図５に示す様に略垂直方向に起こし、自立式表示板１を下辺５、左下辺２１、及び右下辺３１で支持する様に接地することで、表示面７に記録された情報がユーザに提示される。
【００３８】
このとき、台紙２を形成するボール紙の小口が露出している箇所は、上辺３、及び下辺５だけである。そして、この様な自立式表示板１を店頭等に展示する際、通常の需要者は自立式表示板１を上方から見たり、自立式表示板１を持ち上げて下方から見たりすることは無い為、需要者には自立式表示板１の小口が見えなくなる。
【００３９】
さらに、上述した様に、自立式表示板１は、１枚の台紙２を、第１の折り目９、第２の折り目１１、第３の折り目１７、及び第４の折り目２７に従って折り、第３の折り目１７、及び第４の折り目２７に対して表示面７とは反対の位置に形成された第１の係合部２３と第２の係合部３３とを係合させる構造を備えるため、組み立てる作業を容易に行うことができる。
【００４０】
例えば、自立式表示板１を生産する際、例えば所定の規格化されたサイズのボール紙上に、所定の画像等が形成された用紙を貼り付けるプロセスと、この用紙が貼り付けられたボール紙を上述した台紙２の様な形状に切り抜くプロセスと、第１の折り目９、及び第２の折り目１１に沿って第１の支持面１３、及び第２の支持面１５を折り込み、第１の支持面１３、及び第２の支持面１５と表示面７の裏面を固着するプロセスは、一般的に用いられている所謂サック機械を用いて行うことができる。
【００４１】
そして、この状態で自立式表示板１を、小売店等に出荷する。そして、この状態の自立式表示板１を店頭に展示するときは、第１の支持面と表示面７の裏面の間に指を挿入して、第１の支持面１５を表示面７の裏面から離す様な動作を行うだけで組み立てることが可能となる。
【００４２】
これは、従来用いられていた自立式表示板を組み立てる作業と比較して格段に簡潔化された動作である。
【００４３】
また、従来用いられていた広告表示板は、起立片をスリットに差込むと共に、起立片の先端部に設けられた突起部をスリットの上辺に当接する様にすることで広告表示板を起立させることとしている。そしてこのとき、繰り返し広告表示板を展開したり、組み立てたりすることで、突起部の角が脆くなってしまう。これは、従来用いられていた広告表示板では、突起部をスリット内部に無理やり押し込んだり、スリットから引き抜いたりする動作を行わなければ広告表示板を展開したり、組み立てたりすることができない構造となっていたからである。
【００４４】
一方、本発明を適用した自立式表示板１の場合、凹凸部２５と凹凸部３５を噛み合わせることで第１の係合部２３と、第２の係合部３３の係合した状態を維持できる。そしてこのとき凹凸部２５に加わる力は、凹凸部２５の凸部を、凹凸部３５の凹部に押し込む力、すなわち、凸部を自立式表示板１の背面の方向に曲げようとする力だけである。そしてこのとき、ボール紙の目の方向は、凸部の突出方向と平行に形成されることとなる為、自立式表示板１を通常の仕様状態で使用している限り、凸部が折れ曲がり破損する事態は発生しない。
【００４５】
そして、自立式表示板１を展開する場合は、第１の係合部２３、第２の係合部３３、又は凹凸部２５と凹凸部３５とが噛み合っている箇所に指を当て、これら各部を表示面７の裏面から離す様に指を移動させることで、凹凸部２５と凹凸部３５との噛み合いは解消され、自立式表示板１は、台紙２を２枚重ねた程度の厚さに戻る。
【００４６】
この様に、本発明を適用した自立式表示板１は、第１の係合部２３、及び第２の係合部３３に作用する台紙の復元力を用いて係合する為、従来技術の様に繰り返し使用することで破損する事態を防止することが可能となる。
【００４７】
以下、本発明を適用した第２の実施の形態について詳細な説明をする。尚、第２の実施の形態に係る自立式表示板は、自立式表示板１と同一の構成を有する箇所がある為、同一の構成を有する箇所については同一符号を付して詳細な説明を省略する。
【００４８】
第２の実施の形態に係る自立式表示板４１は、図６に示す様に、表示面７と第１の支持面１３との間に第３の支持面４３と、第４の支持面４５とを備える。また、表示面７と、第２の支持面１５との間に第５の支持面４７と第６の支持面４９とを備える。
【００４９】
これら第３の支持面４３、第４の支持面４５、第５の支持面４７、及び第６の支持面４９は、表示面７と略同一の高さを有しており、それぞれの面の間、表示面７との間、及び第１の係合部２３、並びに第２の係合部との間にはそれぞれ折り目が設けられている。
【００５０】
自立式表示板４１を組み立てた際に、自立式表示板４１を立体的に見せる為に設けられている。具体的には、図７（ａ）に示す様に、第３の支持面４３、及び第５の支持面４７を表示面７とは所定の角度をもって正面の方向に突出する方向に折り曲げ、さらに第４の支持面４５、及び第６の支持面４９を表示面７とは垂直になる様に折り曲げる。
【００５１】
また、これとは逆に、図７（ｂ）に示す様に第３の支持面４３、及び第５の支持面４７を表示面７の背面方向に向かって垂直に突出する様に折り曲げ、第４の支持面４５、及び第６の支持面４９を表示面７と所定の角度をもつ様に折り曲げる。
【００５２】
この様に、第３の支持面４３、第４の支持面４５、第５の支持面４７、及び第６の支持面４９を設けることで、従来立体感を出すことが難しかったＰＯＰ広告板等に立体感を演出することが出来る為、展示の幅を広げることが可能となる。
【００５３】
以下、本発明を適用した第３の実施の形態について詳細な説明をする。第１の実施の形態及び第２の実施の形態に係る自立式表示板１及び自立式表示板４１は、台紙２の材料としてボール紙を用いるものとして詳細な説明を行ったが、第３の実施の形態に係る自立式表示板の台紙２の材料としては、ＰＥＴ（Poly ethylene terephthalate）又は塩化ビニール等の光学的に透明な材料を用いる。
【００５４】
この場合、第１の折り目９、及び第２の折り目１１は、熱加工によって曲げられており、第３の折り目１７、及び第４の折り目２７に沿ってミシン目が形成されている。そして、第３の実施の形態に係る自立式表示板の形状としては、自立式表示板１、又は自立式表示板４１の何れの形状を採用するこが可能である。
【００５５】
この場合、商品等に関する所定の情報は、表示面７、及び第１の支持面１３、並びに第２の支持面１５の間に当該情報を形成した紙等を挿入することで提示される。
【００５６】
この様に台紙２の材料として、光学的に透明なＰＥＴ素材や、塩化ビニール素材を用いることで、ＰＯＰ広告等の用途に合わせて展示の幅を広げることが可能となる。また、この場合、自立式表示板の用途に合わせて、有色のＰＥＴ素材や、塩化ビニール素材を用いることも可能であることは言うまでもない。
【００５７】
以下、本発明を適用した第４の実施の形態について詳細な説明をする。なお、第４の実施の形態に係る自立式表示板は、上述した何れの自立式表示板についても適用可能であるが、説明の便宜上、自立式表示板１と同一の構造を有する自立式表示板に適用した例として詳細な説明を行う。
【００５８】
第４の実施の形態に係る自立式表示板５１は、図９に示す様に、曲線状に形成された第３の折り目５３と、曲線状に形成された第４の折り目５５とを備える。
【００５９】
第３の折り目５３と、第４の折り目５５は、中心線Ｃに対して略線対称の形状を有している。そして、具体的には、第３の折り目５３は、中心線Ｃの方向に向けて膨らんだ形状の曲線である。また、第４の折り目５５も、同様に中心線Ｃの方向に向けて膨らんだ形状の曲線である。
【００６０】
この様な第３の折り目５３、及び第４の折り目５５を備える自立式表示板５１を組み立てた場合、図９に示す様に、第３の折り目５３、及び第４の折り目５５は、自立式表示板５１の外側に向けて膨らんだ形状となる。
【００６１】
そして、第３の折り目５３、及び第４の折り目５５をこの様な形状とすることで、凹凸部２５、及び凹凸部３５を噛み合わせた際に、互いの凸部が凹部を押し込む力が強くなる為、凹凸部２５と凹凸部３５の係合をはずれにくくすることが可能となる。
【図面の簡単な説明】
【００６２】
【図１】本発明の第１の実施の形態に係る自立式表示板の展開図であり、同自立式表示板の構成を説明する為の図である。
【図２】同自立式表示板の展開図であり、同自立式表示板を組み立てる過程について説明する為の図である。
【図３】同自立式表示板の展開図であり、同自立式表示板を組み立てる過程について説明する為の図である。
【図４】同自立式表示板の要部斜視図である。
【図５】同自立式表示板の正面図、及び側面図である。
【図６】本発明の第２の実施の形態に係る自立式表示板の展開図であり、同自立式表示板の構成を説明する為の図である。
【図７（ａ）】同自立式表示板の簡略化した上面図である。
【図７（ｂ）】同自立式表示板の変形例の簡略化した上面図である。
【図８】本発明の第３の実施の形態に係る自立式表示板の展開図であり、同自立式表示板の構成を説明する為の図である。
【図９】同自立式表示板の展開図であり、同自立式表示板を組み立てる過程について説明する為の図である。
【符号の説明】
【００６３】
１    自立式表示板
２    台紙
３    上辺
５    下辺
７    表示面
９    第１の折り目
１１    第２の折り目
１３    第１の支持面
１５    第２の支持面
１７    第２の折り目
１９    左辺
１９ａ    上左辺
１９ｂ    下左辺
２１    左下辺
２３    第１の係合部
２５    凹凸部
２７    第４の折り目
２９    右辺
２９ａ    上右辺
２９ｂ    下右辺
３１    右下辺
３３    第２の係合部
３５    凹凸部
４１    自立式表示板
４３    第５の支持面
４５    第６の支持面
４７    第７の支持面
４９    第８の支持面
５３    第３の折り目
５５    第４の折り目
【図１】
0004420904.tif 000002
【図２】
0004420904.tif 000003
【図３】
0004420904.tif 000004
【図４】
0004420904.tif 000005
【図５】
0004420904.tif 000006
【図６】
0004420904.tif 000007
【図７（ａ）】
0004420904.tif 000008
【図７（ｂ）】
0004420904.tif 000009
【図８】
0004420904.tif 000010
【図９】
0004420904.tif 000011